【手続補正書】
【提出日】平成17年3月15日(2005.3.15)
【手続補正１】
【補正対象書類名】明細書
【補正対象項目名】全文
【補正方法】変更
【補正の内容】
【書類名】  明細書
【発明の名称】  電気掃除機用吸込口体及びそれを用いた電気掃除機
【特許請求の範囲】
【請求項１】  上部ケース及び下面に吸込口を有する下部ケースからなる吸口本体と、前記吸込口に対向すると共にモーターで回転駆動される回転体と、前記吸口本体の床面への接地を検知する検出部と、前記下部ケースに回動自在に軸支され前記検出部の上下動に応じて回動する操作部と、前記操作部の回動に応じて前記モーターをＯＮ・ＯＦＦするスイッチと、前記操作部に固着されたストッパ片と、移動自在のボールと、前記ボールを前記ストッパ片で挟持する挟持部と、前記ボールを前記挟持部へ誘導するガイド部とを備え、前記吸口本体を上下逆向きにした時に、前記操作部の回動を阻止するように前記ボールが前記挟持部で前記ストッパ片の先端近傍によって挟持されると共に、前記挟持部までの前記ボールの移動経路を垂直方向に対して斜め方向とした電気掃除機用吸込口体。
【請求項２】  上部ケース及び下面に吸込口を有する下部ケースからなる吸口本体と、前記吸込口に対向すると共にモーターで回転駆動される回転体と、前記吸口本体の床面への接地を検知する検出部と、前記下部ケースに回動自在に軸支され前記検出部の上下動に応じて回動する操作部と、前記操作部の回動に応じて前記モーターをＯＮ・ＯＦＦするスイッチと、前記操作部に固着されたストッパ片と、移動自在のボールと、前記ボールを前記ストッパ片で挟持する挟持部と、前記吸口本体を上下逆向きにした時に前記ボールを前記挟持部へ誘導するガイド部とを備え、前記ガイド部を傾斜角度を有する案内リブとした電気掃除機用吸込口体。
【請求項３】  案内リブの傾斜角度を１０〜３０°に設定した請求項２記載の電気掃除機用吸込口体。
【請求項４】  挟持部をガイド部にほぼ沿った挟持面と挟持面にほぼ垂直な受け面で構成した請求項１または２記載の電気掃除機用吸込口体。
【請求項５】  ストッパ片を略棒状とした請求項１、２、４のいずれか１項記載の電気掃除機用吸込口体。
【請求項６】  ボールが挟持部に位置する時以外はガイド部とストッパ片のボールとの当接面が略ハの字となるようにした請求項５記載の電気掃除機用吸込口体。
【請求項７】  ガイド部にボールが落ち込む溝を設けた請求項５または６記載の電気掃除機用吸込口体。
【請求項８】  上部ケース及び下面に吸込口を有する下部ケースからなる吸口本体と、前記吸込口に対向すると共にモーターで回転駆動される回転体と、本体の床面への接地を検知する検出部と、前記下部ケースに回動自在に軸支され前記検出部の上下動に応じて回動する操作部と、前記操作部の回動に応じて前記モーターをＯＮ・ＯＦＦするスイッチと、前記操作部に固着されたストッパ片と、移動自在のボールと、前記吸口本体を上下逆向きにしたときに前記ボールが位置する挟持部とを備え、前記吸口本体を上下逆向きにした時に、前記操作部の回動を阻止するように前記ボールが前記挟持部で前記ストッパ片の先端近傍によって挟持されると共に、前記吸口本体を上下順向にした時に、前記ストッパ片の根元の後ろ近傍に前記ボールが位置する空間部を設けた電気掃除機用吸込口体。
【請求項９】  上部ケース及び下面に吸込口を有する下部ケースからなる吸口本体と、前記吸込口に対向すると共にモーターで回転駆動される回転体と、本体の床面への接地を検知する検出部と、前記下部ケースに回動自在に軸支され前記検出部の上下動に応じて回動する操作部と、前記操作部の回動に応じて前記モーターをＯＮ・ＯＦＦするスイッチと、前記操作部に固着されたストッパ片と、移動自在のボールと、前記吸口本体を上下逆向きにしたときに前記ボールが位置する挟持部と、前記ボールを前記挟持部へと誘導するガイド部とを備え、前記吸口本体を上下逆向きにした時に、前記操作部の回動を阻止するように前記ボールが前記挟持部で前記ストッパ片の先端近傍によって挟持されると共に、前記挟持部の前記ガイド部との反対側に前記ボールのガタを抑制する規制リブを設けた電気掃除機用吸込口体。
【請求項１０】  塵埃吸引用の電動送風機と、塵埃を捕集する集塵室と、前記集塵室に連通すると共にホース、延長管等を介して請求項１〜９のいずれか１項記載の電気掃除機用吸込口体に接続される接続口を設けた電気掃除機。
【発明の詳細な説明】
【０００１】
【発明の属する技術分野】
本発明は、電気掃除機用吸込口体、特に、絨毯等に付着したゴミを掻き出す回転体を備えた吸込口体及びそれを用いた電気掃除機に関するものである。
【０００２】
【従来の技術】
図１１において、３７は電気掃除機本体で電動送風機３８、集塵室３９を内蔵している。４０は接続口で、集塵室３９に連通すると共に、ホース４１の一端が接続される。吸込口体４２は、延長管４３を介してホース４１の他端に接続されている。
【０００３】
従来の電気掃除機用吸込口体は、公開特許公報の特開平８−３１７８８５に示されるものが一般的であった。
【０００４】
以下に従来の電気掃除機用吸込口体を図１２〜１９を用いて説明する。
【０００５】
図１５、１６において、４２は吸込口体で、下面前方に吸込口４４を形成した下部ケース４５と、下部ケース４５の後方上部を覆う上部ケース４６と、下部ケース４５の前方上部を開閉自在に閉塞する蓋体４７とから構成されている。
４８は吸込口体に回転自在に支持された回転体で、吸込口４４に臨ませて配置されている。４９は吸込口体の下部ケース４５と上部ケース４６とで囲まれる空間に配設されるモーターで、回転体４８との間にベルト５０を架設し、回転体４８を回転駆動するようになっている。５１は吸込口体の下部ケース４５と上部ケース４６とで囲まれる空間に配設される安全スイッチである。
【０００６】
安全スイッチ５１を図１２〜図１４、図１７〜図１９に基づいて詳述する。
【０００７】
５２は操作部で、軸５３を吸込口体４２と後述するカバー体５４との間で回転自在に軸支している。５５は操作部の軸の一端側に設けられたブラケットで、回転ローラー５６を回転自在に軸支する軸支部５７を有している。５８は操作部５２の軸５３の中央部に設けられたバネ受け部で、後述するカバー体５４との間に図示しないバネを架設し、バネにより操作部５２を回転ローラー５６が吸込口体４２の底面から突出する方向に付勢している。５９は操作部５２の軸５３の他端側に設けられた略Ｕ字状のストッパ片、６０は操作部５２の軸５３の他端に設けられた操作片で、吸込口体４２を被掃除面６１に接地した際に回転ローラー５６が被掃除面６１に押し上げられるのに伴って回転し、後述するスイッチ６２を操作するようになっている。５４は操作部５２のブラケット５５、バネ受け部５８及びストッパ片５９を覆うカバー体で、外周方向に延設した取付部６３を、吸込口体４２の底面から立設した図示しないピンに嵌合して吸込口体４２に固定するようになっている。６４はカバー体５４の操作片６０に対応する位置に形成された装着部で、後述するスイッチ６２が装着されるようになっている。６５はカバー体５４の上面に形成された基盤取付部で、モーター４９を制御する図示しない制御基盤が装着されるようになっている。６６はカバー体５４に形成された上面開口の筒状のガイド部で、操作部５２のストッパ片５９を囲み、その上面開口に、上部ケース４６に形成した当接リブ６７を対向させており、ガイド部６６と当接リブ６７により挟持部６８を構成している。６９はガイド部６６の内部を２室に区画する阻止リブで、一方の室に位置するストッパ片５９の凹所に位置し、ストッパ片５９に当接して操作部５２の回動を妨げない高さに形成されており、後述するボール７０がストッパ片５９の凹所内に入り込まないようにしている。７０はガイド部６６の他方の室に上下自在に配置されているボール、６２は装着部６４に装着されるスイッチで、モーター４９をＯＮ／ＯＦＦ制御するようになっている。
【０００８】
上記構成において、ホース４１の先端、あるいは延長管４３の先端に吸込口体４２を接続して掃除を行うのであるが、この状態で、吸込口体４２を被掃除面６１に接地させると、図１４に示すごとく、バネの付勢力に抗して回転ローラー５６が被掃除面６１によって押し上げられて操作部５２が回転し、操作部５２の回転に伴って操作片６０がスイッチ６２をＯＮ状態としてモーター４９を回転させて回転体４８を駆動する。尚、この状態では、ボール７０はストッパ片５９の凹所に位置している。
【０００９】
掃除場所を移動する場合など、吸込口体４２を被掃除面６１から離間すると、図１３に示すごとく、回転ローラー５６がバネの付勢力により吸込口体４２の底面から突出し、それに伴う操作部５２の回転により操作片６０がスイッチ６２から離間しスイッチ６２がＯＦＦ状態となり、モーター４９が停止する。この状態では、ストッパ片５９はガイド部６６の一方の室側へ回動し、ボール７０の上方向への移動を妨げない状態となっている。
【００１０】
吸込口体４２を上下反転操作した際には、図１２に示すごとく、ボール７０が自重によってガイド部６６の壁面と上部ケース４６の当接リブ６７に当接した位置へと移動する。この状態で、誤って回転ローラー５６を押し下げる方向に操作しても、ストッパ片５９の先端がボール７０に当接して操作部５２の回転が阻止され、操作片６０がスイッチ６２から離間した状態を維持し、不用意に回転体４８が回転するのを防止する。
【００１１】
【発明が解決しようとする課題】
ここで、このような従来の電気掃除機用吸込口体の構成で掃除中に敷居を乗り越える時など強い衝撃が吸込口体４２に加わる場合を考えてみる。この時、ボール７０が衝撃により重力に逆らって当接リブ６７まで到達するタイミングと、吸込口体４２が敷居を乗り上げる時などに軽く中に浮き、ストッパ片５９がバネの付勢力でボール７０を挟持する位置まで回動するタイミングとが合う場合があるが、ボール７０の移動経路はストッパ片５９の根元上部から当接リブ６７までガイド部６６の壁面に沿って垂直に移動するというように、ボール７０の移動距離が短いためにストッパ片５９の回動タイミングよりもボール７０の当接リブ６７への移動タイミングが上回り通常使用中に不用意にボール７０が挟持され吸込口体４２の底面から回転ローラー５６が突出したままになり使用不可能になるといった最悪状態が発生し易かった。
【００１２】
一方、不用意に吸込口体４２を上下逆向きにした場合について考えると、回転ローラー５６に外部から力が加わりストッパ片５９が動くと、ボール７０の横方向の動きを規制するものがないために、ボール７０が静止状態を維持することができずに非常に不安定な状態になり、最悪ケースではボール７０を挟持不能となり不用意なロック解除により回転体４８が回転してしまうという安全装置としての信頼性が不十分であった。
【００１３】
さらには、吸込口体４２を不用意に上下逆向きにした場合には、ボール７０は当接リブ６７へと被掃除面６１に対して垂直方向に落下するためボール７０の全重力でもってまともに当接リブ６７へと衝突し不快な音が発生し易かった。
【００１４】
本発明は、以上のような従来の課題を解決しようとするものであって、通常使用状態での不用意なロックの防止や裏返しの状態で回転ローラーが家具等に触れ不用意に回転体が回り傷付けることがないといった使用勝手が良いと共に、不快音を低減した電気掃除機用吸込口体及び清掃作業の快適性を向上した電気掃除機を提供することを目的としている。
【００１５】
【課題を解決するための手段】
上記目的を達成するために本発明は、上部ケース及び下面に吸込口を有する下部ケースからなる吸口本体と、前記吸込口に対向すると共にモーターで回転駆動される回転体と、前記吸口本体の床面への接地を検知する検出部と、前記下部ケースに回動自在に軸支され前記検出部の上下動に応じて回動する操作部と、前記操作部の回動に応じて前記モーターをＯＮ・ＯＦＦするスイッチと、前記操作部に固着されたストッパ片と、移動自在のボールと、前記ボールを前記ストッパ片で挟持する挟持部と、前記ボールを前記挟持部へ誘導するガイド部とを備え、前記吸口本体を上下逆向きにした時に、前記操作部の回動を阻止するように前記ボールが前記挟持部で前記ストッパ片の先端近傍によって挟持されると共に、前記挟持部までの前記ボールの移動経路を垂直方向に対して斜め方向とするものである。
【００１６】
上記構成により、掃除中に敷居を乗り越えるなど強い衝撃が吸口本体に加わった場合にも、ボールの移動経路を斜め方向とすることで挟持部までの移動距離を稼ぐことができ、つまりボールが挟持部まで移動する移動時間を稼ぐことができ、ストッパ片の回動タイミングをボールの移動タイミングより上回らせることにより通常使用中に不用意にボールが挟持され吸口本体の底面から検出部が突出したままになり使用不可能になるといった最悪状態を避けることができる。
【００１７】
また、吸口本体を不用意に上下逆向きにした場合には、ボールは斜め方向に落下するため重力の分力でもって落下し、挟持部への衝撃が緩和され不快な音を低減できる。
【００１８】
【発明の実施の形態】
本発明の請求項１記載の発明は、上部ケース及び下面に吸込口を有する下部ケースからなる吸口本体と、前記吸込口に対向すると共にモーターで回転駆動される回転体と、前記吸口本体の床面への接地を検知する検出部と、前記下部ケースに回動自在に軸支され前記検出部の上下動に応じて回動する操作部と、前記操作部の回動に応じて前記モーターをＯＮ・ＯＦＦするスイッチと、前記操作部に固着されたストッパ片と、移動自在のボールと、前記ボールを前記ストッパ片で挟持する挟持部と、前記ボールを前記挟持部へ誘導するガイド部とを備え、前記吸口本体を上下逆向きにした時に、前記操作部の回動を阻止するように前記ボールが前記挟持部で前記ストッパ片の先端近傍によって挟持されると共に、前記挟持部までの前記ボールの移動経路を垂直方向に対して斜め方向とするものであり、また、本発明の請求項２記載の発明は、ガイド部を傾斜角度を有する案内リブとしたものであり、さらに、本発明の請求項３記載の発明は、案内リブの傾斜角度を１０〜３０°に設定したもので、掃除中に敷居を乗り越えるなど強い衝撃が吸口本体に加わった場合にも、ボールの移動経路を斜め方向とすることで挟持部までの移動距離を稼ぐことができ、つまりボールが挟持部まで移動する移動時間を稼ぐことができ、ストッパ片の回動タイミングをボールの移動タイミングより上回らせることにより通常使用中に不用意にボールが挟持され吸口本体の底面から検出部が突出したままになり使用不可能になるといった最悪状態を避けることができる。
【００１９】
また、吸口本体を不用意に上下逆向きにした場合には、ボールは斜め方向に落下するため重力の分力でもって落下し、挟持部への衝撃が緩和され不快な音を低減できる。
【００２０】
本発明の請求項４記載の発明は、挟持部をガイド部にほぼ沿った挟持面と挟持面にほぼ垂直な受け面とで構成するもので、通常使用中にボールが重力に逆らって挟持部へ到達した場合にも、ボールは挟持部の受け面に当たり元の位置に確実に戻る方向へ力を受けるので、重力に逆らって移動するボールが挟持部に留まることがなく、通常使用中に不用意にボールが挟持され本体の底面から検出部が突出したままになり使用不可能になるといった最悪状態を避けることができる。
【００２１】
本発明の請求項５記載の発明は、ストッパ片を略棒状とするもので、ボールが挟持部まで移動する際に、ボールの遊びがストッパ片とガイド部とにより規制されるため移動中の不快音を低減できる。
【００２２】
本発明の請求項６記載の発明は、ボールが挟持部に位置する時以外はガイド部とストッパ片のボールとの当接面が略ハの字とするもので、掃除中に敷居を乗り越えるなど強い衝撃が本体に加わる場合を考えると、ボールは衝撃により重力に逆らって挟持部まで移動しようとするが、略棒状のストッパ片ではボールが挟持部に位置しなくてもガイド部との間でボールを不用意に挟持する可能性があるが、挟持部以外でガイド部とストッパ片が略ハの字となっていれば、ボールは常にガイド部とストッパ片で下部ケースの方向に押しやられる方向に力を受けるため、通常使用中に不用意にボールが挟持以外で挟持され、本体の底面から検出部が突出したままになり使用不可能になるといった最悪状態を避けることができる。
【００２３】
本発明の請求項７記載の発明は、ガイド部にボールが落ち込む溝を設けるもので、ガイド部とボールは２点接触するためボールから受ける力を分散できガイド部の破損を軽減できるだけでなく、ボールは溝に落ち込むことでストッパ片から逃げる方向に移動しその分だけストッパ片が回動し結果的にストッパ片によるボールを下部ケースの方向へ押しやる力の成分が増加し、通常使用中に不用意にボールが挟持以外で挟持され、本体の底面から検出部が突出したままになり使用不可能になるといった最悪状態を避けることができる。
【００２４】
本発明の請求項８記載の発明は、上部ケース及び下面に吸込口を有する下部ケースからなる吸口本体と、前記吸込口に対向すると共にモーターで回転駆動される回転体と、本体の床面への接地を検知する検出部と、前記下部ケースに回動自在に軸支され前記検出部の上下動に応じて回動する操作部と、前記操作部の回動に応じて前記モーターをＯＮ・ＯＦＦするスイッチと、前記操作部に固着されたストッパ片と、移動自在のボールと、前記吸口本体を上下逆向きにしたときに前記ボールが位置する挟持部とを備え、前記吸口本体を上下逆向きにした時に、前記操作部の回動を阻止するように前記ボールが前記挟持部で前記ストッパ片の先端近傍によって挟持されると共に、前記吸口本体を上下順向にした時に、前記ストッパ片の根元の後ろ近傍に前記ボールが位置する空間部を設けるもので、掃除中に敷居を乗り越えるなど強い衝撃が本体に加わった場合にも、ボールを空間部に沈み込ませることで挟持部までの移動距離を稼ぐことができ、つまりボールが挟持部まで移動する移動時間を稼ぐことができ、ストッパ片の回動タイミングをボールの移動タイミングより上回らせることにより通常使用中に不用意にボールが挟持され本体の底面から検出部が突出したままになり使用不可能になるといった最悪状態を避けることができる。
【００２５】
本発明の請求項９記載の発明は、上部ケース及び下面に吸込口を有する下部ケースからなる吸口本体と、前記吸込口に対向すると共にモーターで回転駆動される回転体と、本体の床面への接地を検知する検出部と、前記下部ケースに回動自在に軸支され前記検出部の上下動に応じて回動する操作部と、前記操作部の回動に応じて前記モーターをＯＮ・ＯＦＦするスイッチと、前記操作部に固着されたストッパ片と、移動自在のボールと、前記吸口本体を上下逆向きにしたときに前記ボールが位置する挟持部と、前記ボールを前記挟持部へと誘導するガイド部とを備え、前記吸口本体を上下逆向きにした時に、前記操作部の回動を阻止するように前記ボールが前記挟持部で前記ストッパ片の先端近傍によって挟持されると共に、前記挟持部の前記ガイド部との反対側に前記ボールのガタを抑制する規制リブを設けるもので、不用意に本体を上下逆向きにした場合に、検出部に外部から力が加わりストッパ片が動いたとしても、ボールは挟持部で規制リブに動きを規制されほぼ静止状態を維持することができるのでボールは挟持部で確実に挟持され不用意なロック解除による回転体の回転を防止でき安全装置としての信頼性を向上できる。
【００２６】
本発明の請求項１０記載の発明は、塵埃を吸引する電動送風機と、塵埃を捕集する集塵室と、前記集塵室に連通する接続口を備え、請求項１〜９のいずれか１項記載の電気掃除機の吸込口体を前記接続口に連通接続するようにした電気掃除機とするもので、清掃作業の快適性を向上出来る。
【００２７】
【実施例】
以下本発明の一実施例を図１〜図１０を用いて説明する。
【００２８】
図４、５に示すように、吸込口体１は、下部ケース２と、下部ケース２の上方を覆う上部ケース３とを備え、下部ケース２は長手方向に延びる吸込口４に対向する回転体５を保持している。さらに、下部ケース２には、回転ローラー６が操作部７を介して回転可能に軸支されている。回転体５は、下部ケース２に保持されたモーター８の回転駆動によりベルト９を介して回転し、この回転により螺旋状の弾性ブレード１０が絨毯等に付着したゴミを掻き出す。図６、７に示すように、操作部７は、回転ローラー６を回転軸１１を介して回転可能に軸支するブラケット１２と、下部ケース２に支持されてブラケット１２を回動可能に支持する軸１３と、軸１３の一端に巻設されて回転ローラー６を突出方向に付勢するコイルスプリング１４と、コイルスプリング１４の一端を支持するアーム１５と、軸１３の他端に突設された略棒状のストッパ片１６とを備え、回転ローラー６の接地面１７への離間・接地に連動して、ブラケット１２が回転ローラー６と一体に回動変位する。一方、操作部７は、その上方をカバーキャップ１８に、ストッパ片１６は、その上方をガイドカバー１９でそれぞれ覆われている。尚、カバーキャップ１８とガイドカバー１９は一体成形されている。カバーキャップ１８は下部ケース２に固定されている。また、カバーキャップ１８は、回転ローラー６の上部を覆うカバー部２０と、カバー部２０の側面から突出してスイッチ２１を保持する一対の支持突起２２と、プリント基盤２３を設置するための支持突起２４とを備えている。図１〜３に示すように、ガイドカバー１９には傾斜角２５を有した案内リブ２６と、ガイドカバー１９の天面２７と案内リブ２６が交わる位置の近傍に案内リブ２６とほぼ同一傾斜の挟持面２８と挟持面２８に垂直な受け面２９とで構成された挟持部３０を設けており、挟持部３０の案内リブ２６との反対側には規制リブ３１を設けている。ここで、案内リブ２６の傾斜角２５は大きすぎると吸込口体を上下逆向きにしてもボール３２がなかなか挟持部３０へ移動しないということと、小さすぎると移動距離を稼げないということを考慮して１０〜３０°に設定している。案内リブ２６とストッパ片１６との間にはボール３２を配しており、ストッパ片１６の後ろ近傍には下部ケース２にボール３２が入る空間部３３を設けている。図８、９に示すように、案内リブ２６には溝３４を設けている。スイッチ２１は、ホースの手元操作部に設けられた、例えば絨毯を清掃する場合と畳を清掃する場合などの清掃条件を選択するための条件選択スイッチと電気的に接続され、この条件選択スイッチにより絨毯が選択され、スイッチ２１がＯＮ状態とされた場合にのみモーター８を介して回転体５を回転させる。尚、このスイッチ２１のＯＮ・ＯＦＦは、アーム１５の回動に連動する接点アーム３５の回動位置によって切り換えられる。
【００２９】
上記構成において、絨毯等を清掃する場合には、ホースに設けられた条件選択スイッチより回転体５を使用することを選択する。そして、所望の箇所へ吸込口体１を移動させる場合などのように、吸込口体１が接地面１７から離間している場合には、図２に示すように回転ローラー６も接地面１７から離間すると同時にコイルスプリング１４の付勢力により下部ケース２からの突出量が大きくなる。従って、アーム１５は接点アーム３５から離間してスイッチ２１がＯＦＦ状態となり、回転体５の回転が停止される。尚、この時、ボール３２は空間部３３に位置している。次に、所望の清掃箇所へ吸込口体１を移動させて接地面１７へ吸込口体１を接地させると、図３に示すようにコイルスプリング１４の付勢に抗して回転ローラー６が接地面１７によって押し上げられつつ軸１３を回転させ、この軸１３の回転に連動してアーム１５が接点アーム３５を回動させ、スイッチ２１がＯＮ状態となり回転体５を回転させる。尚、この時、ボール３２は空間部３３に位置している。一方、清掃途中で条件選択スイッチが絨毯を選択している際に、不用意に吸込口体１を上下逆向きにした場合について説明する。一旦、吸込口体１を持ち上げて接地面１７から離間するために、モーター８が駆動停止状態とされた後、上下逆向きとされる。この時、ボール３２は図１に示すようにこの逆向き操作に連動して空間部３３から挟持部３０へと斜め方向に移動する。従って、ボール３２は、挟持部３０でストッパ片１６の先端近傍によって挟持されるため、この逆向き状態でコイルスプリング１４の付勢に抗して回転ローラー６を押し下げるように操作されても、ボール３２を斜め方向から挟持面２８とストッパ片１６とで挟持する状態となって軸１３の回転が阻止されてスイッチ２１のＯＦＦ状態が維持される。他方、再び吸込口体１を上下順向きに操作して清掃を再開する場合には、図３に示すようにボール３２は、上下順向き操作に連動して空間部３３に落下し、ボール３２による軸１３の回転阻止は解除され、軸１３は回転ローラー６の動きに連動し、回転体５が回転する。
【００３０】
ここで、掃除中に敷居を乗り越えるなど強い衝撃が吸込口体１に加わる場合を考えると、ボール３２が通常使用時には空間部３３という下部ケース２に当接する位置まで沈み込んでいると共に、ボール３２が挟持部３０まで到達するためには案内リブ２６もしくは略棒状のストッパ片１６に規制されながら斜め方向に移動する必要があるため挟持部３０までの移動距離を稼ぐことができ、つまりボール３２が挟持部３０まで移動する移動時間を稼ぐことができ、ストッパ片１６の回動タイミングをボール３２の移動タイミングより上回らせることにより、通常使用中に不用意にボール３２が挟持され吸込口体１の底面３６から回転ローラー６が突出したままになり使用不可能になるといった最悪状態を避けることができる。万一通常使用中にボール３２が重力に逆らって挟持部３０へ到達した場合にも、ボール３２は挟持部３０の受け面２９に当たり空間部３３に確実に戻る方向へ力を受けるので、ボール３２が挟持部へ留まることはない。
【００３１】
また、図１０に示すようにストッパ片１６を略棒状に形成し、案内リブ２６と略棒状のストッパ片１６はボール３２が挟持部３０に位置する時以外は常に略ハの字となるため、通常使用中にショックによりボール３２が跳ね上がた場合にも、ボール３２が挟持部３０に位置しない限りボール３２は常に案内リブ２６とストッパ片１６で下部ケース２の方向に押しやられる方向に力を受けるため挟持されることはない。
【００３２】
さらに、案内リブ２６に溝３４を設けることで案内リブ２６とボール３２は２点接触するため案内リブ２６が図１０のような場合にボール３２から受ける力を分散でき案内リブ２６の破損を軽減できるだけでなく、ボール３２は溝３４に落ち込むことでストッパ片１６から逃げる方向に移動しその分だけストッパ片１６が回動し結果的に案内リブ２６とストッパ片１６とからなる略ハの字がきつくなりボール３２を下部ケース２の方向へ押しやる力の成分が増加し、ボール３２は挟持部に位置しない限り挟持されることはない。
【００３３】
一方、不用意に吸込口体１を上下逆向きにした場合については規制リブ３１を設けることで回転ローラー６に外部から力が加わりストッパ片１６が動いたとしてもボール３２は挟持部３０の中で規制リブ３１に動きを規制されほぼ静止状態を維持することができるのでボール３２は挟持部３０に位置する時には常に確実に挟持され不用意なロック解除による回転体５の回転を防止でき安全装置としての信頼性を向上できる。
【００３４】
尚、吸込口体１を不用意に上下逆向きにした場合には、ボール３２は接地面１７に対して斜め方向に落下するため重力の分力でもって落下し衝撃が緩和されることや、ボール３２が挟持部３０までの移動経路を移動する際に、ボール３２の遊びがストッパ片１６と案内リブ２６とにより規制されることにより、移動中の不快音を低減できるといった効果があることも付け加えておく。
【００３５】
【発明の効果】
本発明の請求項１乃至３記載の発明によれば、掃除中に敷居を乗り越えるなど強い衝撃が吸込口体に加わる場合にも、挟持部までのボールの移動経路を斜めとし距離を稼ぐことでストッパ片の回動タイミングをボール移動タイミングより上回らすことにより、通常使用中に不用意にボールが挟持され吸込口体の底面から回転ローラーが突出したままになり使用不可能になるといった最悪状態を避けることができる。
【００３６】
また、吸込口体を不用意に上下逆向きにした場合にも、ボールは斜め方向に落下するため重力の分力でもって落下し衝撃が緩和され不快な音を低減できる。
【００３７】
本発明の請求項４記載の発明によれば、通常使用中にボールが重力に逆らって挟持部へ到達した場合にも、挟持部を案内リブとほぼ同一傾斜の挟持面と挟持面に垂直な受け面で構成することで、ボールは挟持部の受け面に当たり空間部に確実に戻る方向へ力を受けるので、挟持部に留まることがなく、通常使用中に不用意にボールが挟持され吸込口体の底面から回転ローラーが突出したままになり使用不可能になるといった最悪状態を避けることができる。
【００３８】
本発明の請求項５記載の発明によれば、ボールが挟持部までの移動経路を移動する際に、ボールの遊びが略棒状のストッパ片と案内リブとにより規制されるため移動中の不快音を低減できる。
【００３９】
本発明の請求項６記載の発明によれば、掃除中に敷居を乗り越えるなど強い衝撃が吸込口体に加わる場合にも、ボールが挟持部にある時以外は案内リブとストッパ片のボールとの当接面が略ハの字となるため、ボールは常に案内リブとストッパ片で下部ケースの方向に押しやられる方向に力を受け、通常使用中に不用意にボールが挟持部以外で挟持され吸込口体の底面から回転ローラーが突出したままになり使用不可能になるといった最悪状態を避けることができる。
【００４０】
本発明の請求項７記載の発明によれば、案内リブにボールが落ち込む溝を設けることで案内リブとボールは２点接触しボールから受ける力を分散でき案内リブの破損を軽減できるだけでなく、ボールは溝に落ち込むことでストッパ片から逃げる方向に移動しその分だけストッパ片が回動し、結果的にストッパ片によるボールを下部ケースの方向へ押しやる力の成分が増加し、通常使用中に不用意にボールが挟持部以外で挟持され吸込口体の底面から回転ローラーが突出したままになり使用不可能になるといった最悪状態を避けることができる。
【００４１】
本発明の請求項８記載の発明によれば、掃除中に敷居を乗り越えるなど強い衝撃が吸込口体に加わる場合にも、ボールが空間部に沈みこんでいるため挟持部までのボールの移動距離を稼ぐことができ、ストッパ片の回動タイミングよりボールの移動タイミングを遅くすることができ、通常使用中に不用意にボールが挟持され吸込口体の底面から回転ローラーが突出したままになり使用不可能になるといった最悪状態を避けることができる。
【００４２】
本発明の請求項９記載の発明によれば、不用意に吸込口体を上下逆向きにした場合に回転ローラーに外部から力が加わりストッパ片が動いたとしても、ボールが挟持部に位置する時には案内リブと規制リブで挟持されているためボールは常にほぼ静止状態を維持することができるので、ボールは挟持部で常に確実に挟持され不用意なロック解除と回転体の回転を防止でき安全装置としての信頼性を向上できる。
【００４３】
本発明の請求項１０記載の発明によれば、通常使用状態での不用意なロックの防止や裏返しの状態で回転ローラーが家具等に触れ不用意に回転体が回り傷付けることがないといった使用勝手が良いと共に、不快音を低減した電気掃除機用吸込口体を用いることで、清掃作業の快適性を向上した電気掃除機を提供できる。
【図面の簡単な説明】
【図１】
（ａ）本発明の第一実施例を示す電気掃除機の吸込口体を裏返した時の要部断面図
（ｂ）同吸込口体を裏返した時のスイッチの作用説明図
【図２】
（ａ）同吸込口体を接地面から浮かせた時の要部断面図
（ｂ）同吸込口体を接地面から浮かせた時のスイッチの作用説明図
【図３】
（ａ）同吸込口体を接地面に着けた時の要部断面図
（ｂ）同吸込口体を接地面に着けた時のスイッチの作用説明図
【図４】
同吸込口体の上部ケースを取り外した平面図
【図５】
同吸込口体の接地面から浮かせた時の断面図
【図６】
同吸込口体を接地面から浮かせた時の要部断面図
【図７】
同吸込口体の要部斜視図
【図８】
図２のＡ−Ａ断面図
【図９】
図８のＢ−Ｂ断面図
【図１０】
同吸込口体の要部断面図
【図１１】
従来例を示す電気掃除機の全体図
【図１２】
（ａ）同吸込口体を裏返した時のスイッチの要部断面図
（ｂ）同吸込口体を裏返した時の作用説明図
【図１３】
（ａ）同吸込口体を接地面から浮かせた時のスイッチの要部断面図
（ｂ）同吸込口体を接地面から浮かせた時の作用説明図
【図１４】
（ａ）同吸込口体を接地面に着けた時のスイッチの要部断面図
（ｂ）同吸込口体を接地面に着けた時の作用説明図
【図１５】
同吸込口体の側面図
【図１６】
同吸込口体の上部ケースをとプリント基板とカバー体を取り外した平面図
【図１７】
同吸込口体のストッパ片の正面図
【図１８】
同吸込口体のカバー体の平面図
【図１９】
同吸込口体のカバー体の側面図
【符号の説明】
２  下部ケース
６  回転ローラー（検出部）
７  操作部
１６  ストッパ片
２１  スイッチ
２６  案内リブ（ガイド部）
３０  挟持部
３２  ボール